(57)【要約】【課題】  簡単な構成により、既設の引き戸に対しても容易に取付可能であると共に、高精度の調整が不要である、引き戸の連動装置を提供する。【解決手段】  戸枠に設けられたガイドレール１３，１４に沿って開閉方向に移動する複数枚の引き戸１１，１２のための連動装置２０において、複数の引き戸のうちの一つである第一の引き戸１１と一体に開閉方向に移動する棒状部材２１と、複数の引き戸のうちの一つであり第一の引き戸に隣接する第二の引き戸１２に回転軸１８ｃを介して設けられ、棒状部材２１とガイドレール１４とに関係して転動する歯車１８ｆと、を有し、第一の引き戸１１が開閉されるとき、その移動に伴って棒状部材２１が開閉方向に移動し、この棒状部材との関係により歯車１８ｆが回転軸の周りに回転しつつガイドレール１４との関係により回転軸が開閉方向に移動し、その回転軸の移動に伴って第二の引き戸１２が開閉されるように、引き戸の連動装置２０を構成する。【選択図】  図１
2014214475.tif 000002
【特許請求の範囲】
【請求項１】
戸枠に設けられたガイドレールに沿って開閉方向に移動する複数枚の引き戸のための連動装置において、
前記複数の引き戸のうちの一つである第一の引き戸と一体に開閉方向に移動する棒状部材と、
前記複数の引き戸のうちの一つであり前記第一の引き戸に隣接する第二の引き戸に回転軸を介して設けられ、前記棒状部材と前記ガイドレールとに関係して転動する回転部材と、を有し、
前記第一の引き戸が開閉されるとき、その移動に伴って前記棒状部材が開閉方向に移動し、この棒状部材との関係により前記回転部材が回転軸の周りに回転しつつ前記ガイドレールとの関係により回転軸が開閉方向に移動し、その回転軸の移動に伴って前記第二の引き戸が開閉される、引き戸の連動装置。
【請求項２】
前記回転部材は、前記ガイドレールに関係する部分における直径またはピッチ径と前記棒状部材に関係する部分における直径またはピッチ径とが同じである、請求項１に記載の引き戸の連動装置。
【請求項３】
前記回転部材は、前記棒状部材及び／または前記ガイドレールに対して摺動可能である、請求項１または２に記載の引き戸の連動装置。
【請求項４】
前記第二の引き戸が、前記棒状部材の開閉方向に対して垂直な向きの振れを規制する規制部材を備えている、請求項１から３の何れかに記載の引き戸の連動装置。
【請求項５】
前記複数の引き戸のうち、少なくとも閉鎖位置で戸枠の端縁に当接する最先の引き戸を除く引き戸に対して閉鎖位置を規制するためのストッパ部材が設けられている、請求項１から４の何れかに記載の引き戸の連動装置。
【請求項６】
前記回転部材は、前記第二の引き戸を支持する吊り車に設けられ、前記ガイドレールに関係する部分は、前記ガイドレール上を走行するローラであり、前記第二の引き戸の吊り車がガイドレールに沿って摩擦力より大きい力で押動されたとき、前記回転部材が前記ガイドレール上を摺動する、請求項３に記載の引き戸の連動装置。
【発明の詳細な説明】
【技術分野】
【０００１】
本発明は、開口部を構成する戸枠に開閉可能に支持された複数枚の引き戸から成る連動式引き戸に関し、特に各引き戸の端縁が互いに重なり合って開口部を閉鎖するように、各引き戸を互いに連動して開放位置と閉鎖位置との間を移動させる引き戸の連動装置に関するものである。
【背景技術】
【０００２】
従来、住宅の各室間の出入り口等の開口部を開閉するために連動式の引き戸が使用されることがある。
このような連動式の引き戸は、例えば開口部の上縁に沿って設けられたガイドレールに沿って走行する吊り車を含むランナー構造により支持される複数枚の引き戸から構成されている。
各引き戸は、それぞれガイドレールに沿って吊り車が走行して開口部の一側または両側に向かって移動することにより、開口部を開放し、または閉鎖する。
【０００３】
ここで、各引き戸は、開放状態では互いに完全に重なり合って、開口部を大きく開放すると共に、閉鎖状態では、各引き戸の端縁部分のみが重なり合うように互いにずれて位置することにより、開口部を閉鎖する。
その際、各引き戸は、好ましくは連動装置により、一枚の引き戸を開放方向または閉鎖方向に移動させることによって、他の引き戸がこれに連動し、それぞれ開放位置または閉鎖位置に向かって移動される。これにより、各引き戸を個別に開放位置または閉鎖位置に移動させることなく、一枚の引き戸を開放位置または閉鎖位置に移動させることによって、すべての引き戸が開放位置または閉鎖位置に移動され、開口部が開放されまたは閉鎖されることになる。
【０００４】
このような連動式引き戸における連動装置は、例えば特許文献１及び２に開示されている。
特許文献１には、引戸の上端面または下端面に取付けられ隣接する引戸に係合して連動開閉するためのものであって、引戸の戸厚よりも狭幅で引戸の開閉方向にわたる長尺状を呈し引戸の上端面または下端面に堀込して取付けられる堀込ベースと、堀込ベースの内部の端部に回転自在に設けられる複数のプーリと、複数のプーリの間に掛け渡される無端条体と、無端条体に固定され隣接する引戸に係合されるスライダとが一体組付けされる連動引戸ユニットが開示されている。
この連動引戸ユニットによれば、上吊り式の引戸、下戸車式の引戸及び外付け式の引戸にも適用可能なユニット化されることにより、汎用性が高く、安価であると共に、外部から連動機構が見えなくして、引戸の外観を損なわないようにした連動引き戸ユニットが提供される。
【０００５】
特許文献２には、家屋等の開口枠部の上枠または下枠に固定されたガイドレールに沿って移動可能に配される第一の引戸及びこれに隣接する第二の引戸のうちの前記第一の引戸に取り付けられ、前記第二の引戸に対する開閉装置に基づく当該第二の引戸の開閉移動に連動して前記第一の引戸を開閉移動させる引戸連動装置であって、前記第一の引戸に直接に取り付けられ、または前記ガイドレールに沿って移動可能なように、且つ前記第一の引戸の前記ガイドレールへの取付に伴って当該第一の引戸に取り付けられる基板と、この基板の前記第一の引戸の移動方向における両端部のそれぞれに回動自在に配設される調帯車と、これら調帯車間に巻回される調帯と、この調帯への止着が可能であって、前記第二の引戸との接続が可能で、且つその上下面を反転させて正面視右側に位置する引戸を前側にしたタイプから正面視左側に位置する引戸を前側にしたタイプにまたはこの逆にタイプ変更を可能にする伝達体とを備えてなることを特徴とする引戸連動装置が開示されている。
【０００６】
この引戸連動装置によれば、正面視右側に位置する引戸を前側にしたタイプの連動引戸にも、また正面視左側に位置する引戸を前側にしたタイプの連動引戸にも共用できるようにし、連動引戸の施工時に際しての利便性がよくなる。
【先行技術文献】
【特許文献】
【０００７】
【特許文献１】特開２００３−０８２９３３号公報
【特許文献２】特開２００７−２７０４４１号公報
【発明の概要】
【発明が解決しようとする課題】
【０００８】
特許文献１による連動引戸ユニットにおいては、一つの引戸の開閉移動を他の引戸に伝達するための手段としては、ベルト，ワイヤ等の無端条体が使用されている。また、特許文献２による引戸連動装置においては、第二の引戸の開閉移動を第一の引戸に伝達するために、調帯が使用されている。
これらの無端条帯または調帯は、確実に開閉移動を伝達するためには、それぞれ対応するプーリまたは調帯車に対して所定の張力をもって巻回されなければならない。このため、各引戸に対するプーリまたは調帯車の取付位置精度を高めると共に、引戸の開口部への取付の際に、所定の張力が得られるように、その取付位置を正確に調整する必要があり、引戸への取付作業が複雑になり、立て付けに特殊な技術と手間を要する。また、引戸の設置後に、無端条帯や調帯に弛みが発生した場合には、その調整が困難である。
【０００９】
また、特許文献１による連動引戸ユニット及び特許文献２による引戸連動装置においては、一つの引戸の開閉移動を他の引戸に伝達するための連動機構が引戸内に配置されているため、各引戸に対する加工作業が必要であると共に、引戸の構造によっては、連動機構を組み込むことができないこともあり、既設の引戸に連動機構を組み込んで連動式にすることは困難であった。
【００１０】
本発明は、以上の点に鑑み、簡単な構成により、既設の引き戸に対しても容易に取付可能であると共に、高精度の調整が不要である、引き戸の連動装置を提供することを目的としている。
【課題を解決するための手段】
【００１１】
上記目的は、本発明の構成によれば、戸枠に設けられたガイドレールに沿って開閉方向に移動する複数枚の引き戸のための連動装置において、複数の引き戸のうちの一つである第一の引き戸と一体に開閉方向に移動する棒状部材と、複数の引き戸のうちの一つであり第一の引き戸に隣接する第二の引き戸に回転軸を介して設けられ、棒状部材とガイドレールとに関係して転動する回転部材と、を有し、第一の引き戸が開閉されるとき、その移動に伴って棒状部材が開閉方向に移動し、この棒状部材との関係により回転部材が回転軸の周りに回転しつつガイドレールとの関係により回転軸が開閉方向に移動し、その回転軸の移動に伴って第二の引き戸が開閉される、引き戸の連動装置により、達成される。
【００１２】
本発明による引き戸の連動装置は、好ましくは、回転部材が、ガイドレールに関係する部分における直径またはピッチ径と棒状部材に関係する部分における直径またはピッチ径とが同じである。
【００１３】
本発明による引き戸の連動装置は、好ましくは、回転部材が、棒状部材及び／またはガイドレールに対して摺動可能である。
【００１４】
本発明による引き戸の連動装置は、好ましくは、第二の引き戸が、棒状部材の開閉方向に対して垂直な向きの振れを規制する規制部材を備えている。
【００１５】
本発明による引き戸の連動装置は、好ましくは、複数の引き戸のうち、閉鎖位置で戸枠の端縁に当接する最先の引き戸を除く引き戸に対して閉鎖位置を規制するためのストッパ部材が設けられている。
【００１６】
本発明による引き戸の連動装置は、好ましくは、回転部材が、第二の引き戸を支持する吊り車に設けられ、ガイドレールに関係する部分が、ガイドレール上を走行するローラであり、第二の引き戸の吊り車がガイドレールに沿って摩擦力より大きい力で押動されたとき、回転部材がガイドレール上を摺動する。
【発明の効果】
【００１７】
上記構成によれば、第二の引き戸に対して回転軸を介して設けられた回転部材が、第一の引き戸の開閉移動に伴って一体的に開閉方向に連動する棒状部材と、噛合または摩擦係合により関係している。
このため、第一の引き戸が開閉されると、第一の引き戸の開閉移動に伴って、棒状部材が第一の引き戸と一体的に連動して開閉方向に移動する。この棒状部材の移動により、これに関係している回転部材が回転軸の周りに回転すると共に、ガイドレールに対して転動する。従って、回転部材の回転軸が開閉方向に移動することになり、回転軸が取り付けられた第二の引き戸も同様に開閉方向に移動する。その際、回転部材は、第一の引き戸と連動して移動する棒状部材と固定配置されたガイドレールとの間を転動するので、第二の引き戸の移動速度及び移動量は、回転部材の棒状部材及びガイドレールに関係する部分の直径またはピッチ径の大きさに応じて、第一の引き戸の移動速度及び移動量に対して増減されることになる。
【００１８】
回転部材において、ガイドレールに関係する部分における直径またはピッチ径と棒状部材に関係する部分における直径またはピッチ径とが同じである場合には、棒状部材の移動に伴って、回転部材の回転軸は、ガイドレールに沿って棒状部材の移動速度の半分の速度で且つ棒状部材の移動距離の半分の距離だけ移動する。
【００１９】
回転部材が、棒状部材及び／またはガイドレールに対して摺動可能である場合には、一定以上の外力が加わった場合に回転部材が棒状部材またはガイドレールに対して摺動することにより、回転部材のガイドレール及び棒状部材にそれぞれ関係する部分における直径またはピッチ径の大きさに応じた移動速度及び移動量からずれた移動速度及び移動量だけ、第二の引き戸が移動することになる。従って、棒状部材，ガイドレール及び回転部材の取付精度及び加工精度が悪くても、この摺動によって連動による第二の引き戸の移動量のずれが吸収される。
【００２０】
第二の引き戸が、棒状部材の開閉方向に対して垂直な向きの振れを規制する規制部材を備えている場合には、棒状部材が移動の際、開閉方向に対して垂直な向きの振れが発生したとしても、この振れが規制部材によって規制されるので、棒状部材が第二の引き戸の吊り車に設けられた溝に円滑に収まる。そのため、棒状部材がこの吊り車に当たって開閉の妨げとなってしまうことを抑制できる。
【００２１】
複数の引き戸のうち、閉鎖位置で戸枠の端縁に当接する最先の引き戸を除く引き戸に対して閉鎖位置を規制するためのストッパ部材が設けられている場合には、棒状部材，ガイドレール及び回転部材の取付精度や加工精度等によって、第一の引き戸の移動に連動して移動する第二の引き戸が、正しい閉鎖位置より第一の引き戸の方向にずれてしまったとしても、ストッパ部材により停止されることにより、正しい位置で停止し、第一の引き戸との関係が自動的に修復される。
なお、第二の引き戸が正しい閉鎖位置より第一の引き戸と逆の方向にずれてしまった場合には、第一の引き戸を開放する際に、これに連動して第二の引き戸が開放され、第一の引き戸より早く戸枠に当接する。さらに、そのまま第一の引き戸を開放し、戸枠に当接させることにより、第一の引き戸との関係が自動的に修復される。
【００２２】
回転部材が、第二の引き戸を支持する吊り車に設けられ、ガイドレールに関係する部分が、ガイドレール上を走行するローラであり、第二の引き戸の吊り車がガイドレールに沿って摩擦力より大きい力で押動されたとき、回転部材がガイドレール上を摺動する場合には、ガイドレールに対して連動装置を装着して、戸枠に対して取り付けた後に、第二の引き戸を支持する吊り車を開放方向または閉鎖方向に押動して、回転部材をガイドレール上で摺動させることにより、適切な位置に設置した状態で第二の引き戸を吊り車に取り付けることができ、取付調整を容易に行なうことができる。
【００２３】
このようにして、本発明によれば、簡単な構成により、既設の引き戸に対しても容易に取付可能であると共に、高精度の調整が不要であるようにした、引き戸の連動装置を提供することができる。
【図面の簡単な説明】
【００２４】
【図１】本発明による引き戸の連動装置の第一の実施形態を組み込んだ連動式引き戸の要部構成を示す概略斜視図である。
【図２】図１の連動式引き戸に組み込まれた引き戸の連動装置の構成を示す概略斜視図である。
【図３】図２の引き戸の連動装置の構成を示す分解斜視図である。
【図４】図１の連動式引き戸の構成を示す（Ａ）全開状態及び（Ｂ）閉鎖方向に移動し始めた状態をそれぞれ示す概略断面図である。
【図５】図４（Ａ）における引き戸の連動装置の要部を拡大して示す断面図である。
【図６】図４（Ａ）における連動式引き戸の右側面図である。
【図７】図５における断面Ａ，Ｂ及びＣにおける部分拡大断面図である。
【図８】図１の引き戸の連動装置におけるストッパ部材の配置を示す（Ａ）全開状態及び（Ｂ）全閉状態における概略平面図である。
【図９】本発明による引き戸の連動装置の第二の実施形態の構成を示す図１と同様の概略斜視図である。
【図１０】図９の引き戸の連動装置におけるストッパ部材の配置を示す（Ａ）全開状態，（Ｂ）閉鎖方向遷移状態，（Ｃ）全閉状態及び（Ｄ）開放方向遷移状態における概略平面図である。
【図１１】本発明による引き戸の連動装置の第三の実施形態の構成を示す図５と同様の部分断面図である。
【図１２】本発明による引き戸の連動装置の第四の実施形態の構成を示す図１と同様の概略斜視図である。
【図１３】図１２に示した引き戸の連動装置における部分断面図である。
【発明を実施するための形態】
【００２５】
図１は、本発明による引き戸の連動装置の第一の実施形態を連動式引き戸に組み込んだ状態を示している。
図１において、連動式引き戸１０は、複数枚の引き戸、図示の場合、二枚の引き戸１１及び１２を有している。
各引き戸１１，１２は、それぞれ建物等の開口部を画成する戸枠（図示せず）の上縁に設けられたガイドレール１３，１４に沿って開閉方向（Ｘ方向）に移動し得るように、それぞれ一対の吊り車１５，１６及び１７，１８により支持されている。
ここで、第一の引き戸１１は、開口部の閉鎖方向端部まで移動して戸枠の閉鎖方向側の端面に当接することにより、開口部の閉鎖方向側を閉鎖すると共に、第二の引き戸１２は、開口部の閉鎖方向途中まで移動して、閉鎖方向側の端縁が第一の引き戸１１の開放方向側の端縁と重なり合い、且つ開放方向側の端縁が戸枠の開放方向側の端縁と重なり合うことにより、開口部の開放方向側を閉鎖する。これにより、第一の引き戸１１及び第二の引き戸１２が開口部を全閉する。
【００２６】
ガイドレール１３，１４は、公知の構成であって、図６に示すように、断面が中空の四角形として例えば長尺のアルミニウム材から構成されており、Ｚ方向下方が開放していると共に、開閉方向に垂直な横方向（Ｙ方向）の両側の下縁がそれぞれ内側に折り曲げられており、その折り曲げられた部分の上面がレール部１３ａ，１４ａを画成している。
【００２７】
第一の引き戸１１を支持する吊り車１５，１６は、それぞれ公知の構成であって、本体１５ａ，１６ａと、本体１５ａ，１６ａに対してＸ方向及びＺ方向に移動可能に配置された支持部１５ｂ，１６ｂと、支持部１５ｂ，１６ｂに対して横向き（Ｙ方向）に延びる二本の車軸１５ｃ，１６ｃの両端にそれぞれ取り付けられた二対のローラ１５ｄ，１６ｄと、を有している。
本体１５ａ，１６ａは、第一の引き戸１１の上面の両端付近に設けられた凹陥部内に挿入され、係止されると共に、上方に突出した吊り軸１５ｅ，１６ｅを備えている。
【００２８】
この吊り軸１５ｅ，１６ｅは、本体１５ａ，１６ａに対してＸ方向及びＺ方向に調整可能に取り付けられている。
支持部１５ｂ，１６ｂは、吊り軸１５ｅ，１６ｅに対して取り付けられている。
ローラ１５ｄ，１６ｄは、ガイドレール１３のレール部１３ａに乗ることにより、レール部１３ａ上を転動し、これにより、吊り車１５，１６がガイドレール１３に沿って走行する。
一対の吊り車１５，１６は、同じ構成であり、一方が開閉方向（Ｘ方向）に関して反転されることにより、図１に示すように互いに対向して配置されている。
【００２９】
これに対して、第二の引き戸１２を支持する吊り車１７，１８は、一部に吊り車１５及び１６と同じ構成を有し、本体１７ａ，１８ａ、支持部１７ｂ，１８ｂ、車軸１７ｃ，１８ｃ、ローラ１７ｄ，１８ｄ及び吊り軸１７ｅ，１８ｅを有しているが、以下に説明する引き戸の連動装置２０の作用を発揮するために、後述するようにさらなる構成を備えている。
一対の吊り車１７，１８は、吊り車１８が後述する歯車１８ｆを備えている点を除いて同じ構成であり、一方が開閉方向（Ｘ方向）に関して反転されることにより、図１に示すように互いに対向して配置されている。なお、吊り車１７も歯車１８ｆと同様の歯車を有して完全に同一の構成であってもよい。
【００３０】
図２〜図４は、本発明による引き戸の連動装置の第一の実施形態の構成を示している。
【００３１】
棒状部材としてのラック部材２１は、ガイドレール１４の内側に収容され、ガイドレール１４に沿って延びるように配置されたラック支持部２１ａと、ラック支持部２１ａの内側の下面に取り付けられたラック歯２１ｂと、から構成されている。ラック歯２１ｂは、その長さ方向に関して複数部分、図示の場合、二つに分割して形成され、端部が突き合わされまたは係合されることにより、連続的に配置されていてもよい。ラック部材の長さは戸板の開閉方向長さより少し短い程度であり、施工時に切断するなどして調整し得る。
ラック支持部２１ａは、その閉鎖方向側の端部に連結ブロック２１ｃが取り付けられ、連結ブロック２１ｃの下端には吊り軸連動プレート２１ｄがネジ等により固定されている。
【００３２】
吊り軸連動プレート２１ｄは、第二の引き戸１２の上部から隣接する第一の引き戸１１側に向かって突出しており、その突出した先端に係合部２１ｅを有している。
この係合部２１ｅは、第一の引き戸１１に取り付けられた一方の（図示の場合、閉鎖方向側の）吊り車１６の本体１６ａと支持部１６ｂを連結する吊り軸１６ｅをＸ方向に関して挟持するように係合している。
これにより、ラック部材２１は、第一の引き戸１１の開閉移動に連動してＸ方向に移動することになる。
【００３３】
吊り車１８は、ラック部材２１を受け入れる受入溝１８ｇ内に、ピニオンギアである歯車１８ｆを有する。歯車１８ｆは、吊り車１８に設けられた車軸１８ｃに取り付けられており、ローラ１８ｄと一体的に回転する。回転部材はこの歯車１８ｆとローラ１８ｄとを含み、ラック部材２１とガイドレール１４とに関係して転動する。
具体的には、歯車１８ｆは、ラック部材２１のラック歯２１ｂと噛合する。一方、ローラ１８ｄは、ガイドレール１４のレール部１４ａ上を滑らずに転動する。ただし、レール部１４ａとローラ１８ｄとの間に、相互間の摩擦を超える力がかかった場合には、ローラ１８ｄは、ガイドレール１４のレール部１４ａ上を摺動する。
ここで、歯車１８ｆは、そのピッチ径が、吊り車１８のローラ１８ｄの外径と等しく選定されている。
【００３４】
吊り車１８の開放方向側の端部には、ラック部材２１の開閉方向に垂直な方向へのモーメントや歪みによる振れを抑制するため、規制部材としてのラックガイド２２が設けられている。
このラックガイド２２は、ラック支持部２１ａを下方及び横方向（Ｙ方向）両側から包囲するように開閉方向に延びていると共に、両側縁の上端から内側に突出する二対のフランジ部２２ａを備えている。
これにより、ラックガイド２２は、ラック支持部２１ａ及びラック歯２１ｂの開閉方向の移動をガイドすると共に、下面及び両側縁により下方及び横方向（Ｙ方向）の振れを規制し、またフランジ部２２ａにより上方への振れを規制する。
【００３５】
ここで、ラックガイド２２は、図示の場合、吊り車１８の開放方向側の端部に係合構造を介して係合することにより、第二の引き戸１２に対して固定されている。
さらに、ラックガイド２２は、ガイドレール１４内を開閉方向に移動し得る断面形状に形成されている。
また、吊り車１７及び１８は、図２及び図３に示すように、その支持部１７ｂ，１８ｂが、上述したラックガイド２２の断面形状と同様、ガイドレール１４内を開閉方向に移動し得るように形成されている。
【００３６】
ラック部材２１は、開放方向側への移動の際に、図４（Ａ）に示すように、その先端が吊り車１７の支持部１７ｂに設けられた受入溝１７ｇ内に進入する。このとき、ラック支持部２１ａは、ラックガイド２２からの突出量が大きくなるため、開閉方向に対し垂直な方向に多少振れることがある。このため、ラック支持部２１ａが吊り車１７の支持部１７ｂに衝突しないように、ラック支持部２１ａは、その開放方向側の先端に、開放方向側に向かって先細に形成されたキャップ２１ｇを備えている。
一方、吊り車１７の支持部１７ｂは、そのラック支持部２１ａを受容する溝状の空間の閉鎖方向側の端縁が閉鎖方向に向かって広がったテーパ部１７ｆを備えている。
このキャップ２１ｇ及びテーパ部１７ｆにより、ラック支持部２１ａが吊り車１７の支持部１７ｂ内に円滑に進入し得る。
【００３７】
また、連動装置２０は、各引き戸１１，１２のＹ方向への振れを抑制するとともに、引き戸１２に対する引き戸１１のＸ方向の移動範囲及び戸枠に対する引き戸１２のＸ方向の移動範囲を規制するためのストッパ部材２３，２４を備えている。
ストッパ部材２３，２４は、図５及び図６に示すように、垂立する突出片２３ａ，２４ａを有する。
ストッパ部材２３は、第二の引き戸１２における引き戸１１側の下部に固定されており、突出片２３ａは第一の引き戸１１の下面に形成された開閉方向に延びる係合溝１１ａ内に摺動可能に嵌入している。
一方、ストッパ部材２４は、第二の引き戸１２の下方で戸枠の下縁に固定されており、突出片２４ａは、第二の引き戸１２の下面に形成された開閉方向に延びる係合溝１２ａ内に摺動可能に嵌入している。
【００３８】
ここで、係合溝１１ａ及び係合溝１２ａは、それぞれ図８に示すように、引き戸１１，１２の下面の長手方向に関してほぼ全長に亘って形成されている。
これにより、引き戸１１，１２の全開状態においては、図８（Ａ）に示すように、突出片２３ａ，２４ａは、対応する引き戸１１，１２の係合溝１１ａ，１２ａの閉鎖方向側の端縁に当接している。
このとき、引き戸１１，１２は、戸枠２５の引き戸収容部２５ａ内に収容されている。
【００３９】
また、引き戸１１，１２の全閉状態においては、図８（Ｂ）に示すように、突出片２３ａ，２４ａは、対応する引き戸１１，１２の係合溝１１ａ，１２ａの開放方向側の端縁に当接して、引き戸１２の閉鎖位置を規制している。
このとき、引き戸１１は、その閉鎖方向側の端縁が、戸枠２５の閉鎖方向の端面に当接して、開口部を閉鎖する。また、引き戸１２は、その閉鎖方向側の端縁が第一の引き戸１１の開放方向側の端縁と重なり、且つその開放方向側の端縁が戸枠２５の開放方向側の端縁と重なっており、引き戸１１，１２が互いにずれて展開した状態で、戸枠２５の開口部を全体として閉鎖する。
以上いずれの状態においても、突出片２３ａ，２４ａが、引き戸１１，１２の係合溝１１ａ，１２ａに嵌入することによって、引き戸１１，１２の下端のＹ方向への振れを抑制する。
【００４０】
本発明による引き戸の連動装置を備えた連動式引き戸１０は、以上のように構成されており、以下のように設置される。
まず、ガイドレール１４に、吊り車１７，ラックガイド２２が取り付けられた吊り車１８を挿入し、ガイドレール１３に、吊り車１５，１６を挿入する。このとき、吊り車１６にはラック部材２１を係合させ、ラック部材２１は、ガイドレール１４内の吊り車１８の受入溝１８ｇ内に挿入する。これにより、ラック部材２１は吊り車１６に連動すると共に、歯車１８ｆに歯合する。その後、ガイドレール１３，１４を戸枠に対して取り付ける。
ここで、吊り車１８には引き戸１２が取り付けられていないので、吊り車１８は、その自重のみにより下方に向かって重力を受ける。従って、ローラ１８ｄのガイドレール１４に対する摩擦力は比較的小さく、吊り車１８を開放方向または閉鎖方向に押動した場合にはローラー１８ｄがガイドレール１４上を容易に摺動して、吊り車１８は円滑にガイドレール１４上を移動することができる。
【００４１】
これにより、吊り車１８は、その歯車１８ｆがラック部材２１のラック歯２１ｂに噛合しているにもかかわらず、ガイドレール１４上を容易に移動調整でき、適切な位置に位置決めできる。従って、吊り車１７，１８を適切な位置に位置させ、第二の引き戸１２を容易に取り付けることができる。
続いて、第一の引き戸１１を、吊り車１５，１６に対して装着する。
【００４２】
次に、第一の引き戸１１及び第二の引き戸１２を、手動で例えば開放方向に移動されることによって、第一の引き戸１１及び第二の引き戸１２が全開位置に達する。その際、引き戸１１，１２は、ストッパ部材２３，２４に当接して停止位置で停止する。ここで、第一の引き戸１１と第二の引き戸１２との相互の連動による位置関係がずれていて、どちらかが先にストッパ部材に当接したとしても、前述したように連動装置２０のローラ１８ｄがガイドレール１４上を摺動することにより、第一の引き戸１１及び第二の引き戸１２が共に停止位置すなわちストッパ部材に当接する位置に移動され、相互の位置関係がリセットされる。これは、第一の引き戸１１及び第二の引き戸１２を閉鎖方向に移動した場合も同様である。
【００４３】
次に、上述した連動式引き戸１０の閉鎖時の動作について説明する。
第一の引き戸１１及び第二の引き戸１２が図８（Ａ）に示すように共に開放位置にある全開状態から、第一の引き戸１１が閉鎖方向に向かって手動により移動されると、この第一の引き戸１１の移動に伴って、連動装置２０のラック部材２１が第一の引き戸１１の移動に連動して閉鎖方向に移動する。
このラック部材２１の閉鎖方向への移動により、ラック歯２１ｂも閉鎖方向に移動するので、吊り車１８の車軸１８ｃに取り付けられた歯車１８ｆが回転する。これに伴って車軸１８ｃに取り付けられたローラ１８ｄも回転して、ガイドレール１４上を転動する。これにより、吊り車１８がガイドレール１４上を閉鎖方向に向かって走行する。このとき、歯車１８ｆのピッチ径とローラ１８ｄの直径が同じであるので、吊り車１８の移動速度及び移動量は、第一の引き戸１１の移動速度及び移動量の半分に等しい。
【００４４】
そして、第一の引き戸１１が戸枠２５の閉鎖方向側の端面に当接すると、第二の引き戸１２が  第一の引き戸１１がストッパ部材２３及び２４により閉鎖位置に規制される。これにより、図８（Ｂ）に示すように、第一の引き戸１１及び第二の引き戸１２が戸枠２５の開口部を全閉する。
【００４５】
この途中で、例えば第一の引き戸１１が閉鎖位置に達する前に、第二の引き戸１２が閉鎖位置に達し、その後第一の引き戸１１が閉鎖位置まで移動する場合は、第一の引き戸１１の移動に伴ってラック部材２１が移動しても、第二の引き戸１２はストッパ部材２４により閉鎖位置に留まっている。その際、ローラ１８ｄがガイドレール１４上で空転することで第一の引き戸１１の移動を許容する。
これにより、第二の引き戸１２の第一の引き戸１１に対する位置ずれが修正されリセットされることになる。
【００４６】
逆に、第二の引き戸１２が第一の引き戸１１に対して開放方向側にずれていた場合、ストッパ部材２３が第二の引き戸１２に固定されているため、第一の引き戸１１の移動に伴って、第二の引き戸１２がストッパ部材２３を介して閉鎖方向に連動することになり、この際にローラ１８ｄがガイドレール１４上を摺動するため、第一の引き戸１１が閉鎖位置に達したときに、第二の引き戸１２も同時に閉鎖位置に達し、同様に位置ずれが修正される。
【００４７】
次に、上述した連動式引き戸１０の開放時の動作について説明する。
第一の引き戸１１及び第二の引き戸１２が図８（Ｂ）に示すように共に閉鎖位置にある全閉状態から、第一の引き戸１１が開放方向に向かって手動により移動されると、この第一の引き戸１１の移動に伴って、連動装置２０のラック部材２１が第一の引き戸１１の移動に連動して開放方向に移動する。
このラック部材２１の開放方向への移動により、ラック歯２１ｂも開放方向に移動するので、吊り車１８の車軸１８ｃに取り付けられた歯車１８ｆが回転する。従って、車軸１８ｃに取り付けられたローラ１８ｄも回転して、ガイドレール１４上を転動する。これにより、吊り車１８がガイドレール１４上を開放方向に向かって走行する。こうして、第二の引き戸１２は第一の引き戸１１の半分の移動量で開放方向へ移動する。
【００４８】
そして、第一の引き戸１１及び第二の引き戸１２が戸枠２５の引き戸収納部２５ａ内の開放方向側の端面に当接する。
これにより、図８（Ａ）に示すように、第一の引き戸１１及び第二の引き戸１２が戸枠２５の開口部を全開する。
【００４９】
ここで、第二の引き戸１２が第一の引き戸１１に対して開放方向側にずれている場合には、第一の引き戸１１を開放方向に移動させると、第一の引き戸１１が開放位置に達する前に、第二の引き戸１２が開放位置に達するが、その後第一の引き戸１１が開放位置まで移動する間は、第一の引き戸１１の移動に伴ってラック部材２１が移動しても、ローラ１８ｄがガイドレール１４上で空転することにより、同位置に留まる。これにより、第二の引き戸１２の第一の引き戸１１に対する位置ずれが修正されリセットされることになる。
逆に、第一の引き戸１１が開放前に第二の引き戸１２に追いついてしまった場合には、、ストッパ部材２３が第二の引き戸１２に固定されているため、第一の引き戸１１の移動に伴って、第二の引き戸１２がストッパ部材２３を介して開放方向に連動することになるが、ローラ１８ｄがガイドレール１４上を摺動することで、第一の引き戸１１の移動を確保できる。
【００５０】
図９は、本発明による引き戸の連動装置の第二の実施形態を連動式引き戸に組み込んだ状態を示している。
図９において、連動式引き戸３０は、三枚の引き戸３１，３２及び３３を有している。
各引き戸３１，３２，３３は、それぞれ建物等の開口部を画成する戸枠の上縁に設けられたガイドレールに沿って開閉方向に移動し得るように、それぞれ一対の吊り車３４，３５，３６，３７，３８，３９により支持されている。
ここで、第一の引き戸３１は、開口部の閉鎖方向端部まで移動して戸枠の閉鎖方向側の端面に当接することにより、開口部の閉鎖方向側を閉鎖すると共に、第二及び第三の引き戸３２，３３は、それぞれ第一の引き戸３１，第二の引き戸３２と端縁のみが重なり合うように、順次にずれて開口部を部分的に閉鎖する。これにより、第一の引き戸３１，第二の引き戸３２及び第三の引き戸３３が全体として開口部を全閉する。
【００５１】
そして、第二の引き戸３２及び第三の引き戸３３に関して、それぞれ連動装置２０が組み込まれている。
ここで、第二の引き戸３２に取り付けられた連動装置２０における吊り軸連動プレート２１ｄは、その係合部（図示せず）が第一の引き戸３１に取り付けられた吊り車３５の吊り軸に係合している。また、第三の引き戸３３に取り付けられた連動装置２０における吊り軸連動プレート２１ｄは、その係合部（図示せず）が第二の引き戸３２に取り付けられた吊り車３７の吊り軸に係合している。
【００５２】
第一の引き戸３１に取り付けられる吊り車３４，３５は、それぞれ図１に示した連動式引き戸１０における吊り車１５，１６と同じ構成である。
また、第二の引き戸３２に取り付けられる吊り車３６，３７は、それぞれ図１に示した連動式引き戸１０における吊り車１７，１８と同じ構成である。
さらに、第三の引き戸３３に取り付けられる吊り車３８，３９は、それぞれ図１に示した連動式引き戸１０における吊り車１７，１８と同じ構成である。
【００５３】
各引き戸３１，３２，３３は、それぞれ閉鎖位置に停止させるためのストッパ部材４０，４１，４２を備えている。
ストッパ部材４０，４１，４２は、図１０に示すように、それぞれ突出片４０ａ，４１ａ，４２ａを有している。
【００５４】
突出片４０ａは、図５及び図６に示した突出片２３ａと同様の構成であり、第一の引き戸３１の下面に形成された開閉方向に延びる係合溝３１ａ内に摺動可能に嵌入していると共に、第二の引き戸３２に対して固定されている。
また、突出片４１ａも、図５及び図６に示した突出片２３ａと同様の構成であり、第二の引き戸３２の下面に形成された開閉方向に延びる係合溝３２ａ内に摺動可能に嵌入していると共に、第三の引き戸３３に対して固定されている。
これに対して、突出片４２ａは、突出片２４ａと同様、第三の引き戸３３の下面に形成された開閉方向に延びる係合溝３３ａ内に摺動可能に嵌入していると共に、第三の引き戸３３の下方で戸枠の下縁に固定されている。
【００５５】
ここで、係合溝３１ａ，３２ａ及び３３ａは、それぞれ図１０に示すように、引き戸３１，３２，３３の下面の長手方向に関してほぼ全長に亘って形成されている。
これにより、引き戸３１〜３３の全開状態においては、図１０（Ａ）に示すように、突出片４０ａ，４１ａ及び４２ａは、それぞれ対応する引き戸３１，３２，３３の係合溝３１ａ，３２ａ，３３ａの閉鎖方向側の端縁に当接している。
このとき、引き戸３１〜３３は、戸枠２５の引き戸収容部２５ａ内に収容されている。
【００５６】
また、引き戸３１〜３３の全閉状態においては、図１０（Ｃ）に示すように、突出片４０ａ，４１ａ，４２ａは、それぞれ対応する引き戸３１〜３３の係合溝３１ａ，３２ａ，３３ａの開放方向側の端縁に当接して、引き戸３２，３３の閉鎖位置を規制している。
このとき、引き戸３１は、その閉鎖方向側の端縁が、戸枠２５の閉鎖方向の端面に当接して、開口部を閉鎖する。また、第二の引き戸３２及び第三の引き戸３３は、順次にずれて、それぞれ第一の引き戸３１及び第二の引き戸３２と、端縁のみが互いに重なり合ってて展開した状態で、戸枠２５の開口部を全体として閉鎖する。
さらに、突出片４０ａ，４１ａ及び４２ａが、それぞれ引き戸３１，３２，３３の係合溝３１ａ，３２ａ，３３ａに係合することによって、引き戸３１〜３３の下端のＹ方向への振れを抑制する。
【００５７】
このような構成の連動式引き戸３０において、各引き戸３１〜３３は、それぞれ図１に示した連動式引き戸１０の場合と同様にして、ガイドレールに装着される。その際、第二の引き戸３２及び第三の引き戸３３に関して、吊り車３５及び３７は、ローラ１８ｄがガイドレール上を摺動することにより、容易に長手方向に関して位置調整が可能であり、第二の引き戸３２及び第三の引き戸３３は、容易に吊り車３６，３７，３８，３９に装着され得る。
【００５８】
次に、連動式引き戸３０の閉鎖時の動作について説明する。
第一の引き戸３１，第二の引き戸３２及び第三の引き戸３３が図１０（Ａ）に示すように共に開放位置にある全開状態から、第一の引き戸３１が閉鎖方向に向かって手動により移動されると、この第一の引き戸３１の移動に伴って、第二の引き戸３２に取り付けられた連動装置２０のラック部材２１が第一の引き戸３１の移動に連動して閉鎖方向に移動する。
このラック部材２１の閉鎖方向への移動により、ラック歯２１ｂも閉鎖方向に移動するので、吊り車３７の車軸に取り付けられた歯車１８ｆが回転する。従って、吊り車３７のローラ１８ｄも回転して、ガイドレール上を転動する。これにより、吊り車３７がガイドレール上を閉鎖方向に向かって走行する。このとき、吊り車３７の移動速度及び移動量は、前述したように、第一の引き戸３１の移動速度及び移動量の半分に等しい。
【００５９】
さらに、第二の引き戸３２が第一の引き戸３１に連動した閉鎖方向への移動に伴って、第三の引き戸３３に取り付けられた連動装置２０のラック部材２１が第二の引き戸３２の移動に連動して閉鎖方向に移動する。
このラック部材２１の閉鎖方向への移動により、ラック歯２１ｂも閉鎖方向に移動し、吊り車３９の車軸に取り付けられた歯車１８ｆそしてローラ１８ｄが回転して、ガイドレール上を転動する。これにより、吊り車３９がガイドレール上を閉鎖方向に向かって走行する。このとき、吊り車３９の移動速度及び移動量は、前述したように、第二の引き戸３２の移動速度及び移動量の半分、そして第一の引き戸３１の移動速度及び移動量の四分の一に等しい。これにより、半開状態においては、各引き戸３１，３２及び３３は、図１０（Ｂ）に示すような位置にある。
【００６０】
そして、第一の引き戸３１が３分の２閉鎖したとき、第一の引き戸３１がストッパ部材４０に当接する。この後、第二の引き戸３２はストッパ部材４０を介して第一の引き戸３１に連動して強制的に閉鎖方向へ引っ張られる。この際、ローラ１８ｄがガイドレール上を空転することで引き戸の移動が許容される。その後、ストッパ部材４０，４１，４２により、第二の引き戸３２及び第三の引き戸３３の閉鎖位置が規制される。この間に第三の引き戸３３が第二の引き戸３２に対しずれていた場合でも、ローラ１８ｄがガイドレール上を空転することで引き戸の移動が許容される。以上のようにして、図１０（Ｃ）に示すように、第一の引き戸３１，第二の引き戸３２及び第三の引き戸３３が戸枠２５の開口部を全閉し、この状態で各引き戸３１，３２，３３の位置関係がリセットされる。
【００６１】
次に、上述した連動式引き戸３０の開放時の動作について説明する。
第一の引き戸３１，第二の引き戸３２及び第三の引き戸３３が図１０（Ｃ）に示すように共に閉鎖位置にある全閉状態から、第一の引き戸３１が開放方向に向かって手動により移動されると、この第一の引き戸３１の移動に伴って、第二の引き戸３２に取り付けられた連動装置２０のラック部材２１が第一の引き戸３１の移動に連動して開放方向に移動する。
このラック部材２１の開放方向への移動により、ラック歯２１ｂも開放方向に移動するので、吊り車３７の車軸に取り付けられた歯車１８ｆが回転する。従って、吊り車３７のローラ１８ｄも回転して、ガイドレール上を転動する。これにより、吊り車３７がガイドレール上を開放方向に向かって走行する。このとき、吊り車３７の移動速度及び移動量は、前述したように、第一の引き戸３１の移動速度及び移動量の半分に等しい。
【００６２】
さらに、第二の引き戸３２が第一の引き戸３１に連動した開放方向への移動に伴って、第三の引き戸３３に取り付けられた連動装置２０のラック部材２１が第二の引き戸３２の移動に連動して開放方向に移動する。
このラック部材２１の開放方向への移動により、ラック歯２１ｂも開放方向に移動し、吊り車３９の車軸に取り付けられた歯車１８ｆそしてローラ１８ｄが回転して、ガイドレール上を転動する。これにより、吊り車３９がガイドレール上を開放方向に向かって走行する。このとき、吊り車３９の移動速度及び移動量は、前述したように、第二の引き戸３２の移動速度及び移動量の半分、そして第一の引き戸３１の移動速度及び移動量の四分の一に等しい。
【００６３】
そして、第一の引き戸３１が３分の２開放したとき、各引き戸３１，３２及び３３は、図１０（Ｄ）に示すような位置にある。このとき、第一の引き戸３１は第二の引き戸３２に追いつき、ストッパ部材４０に当接する。この後、第二の引き戸３２はストッパ部材４０を介して第一の引き戸３１に連動して強制的に閉鎖方向へ引っ張られる。この際、ローラ１８ｄがガイドレール上を空転することで引き戸の移動が許容される。その後、第一の引き戸３１と第二の引き戸３２とが一体的に開放位置に到達するのと同時に、第三の引き戸３３も開放位置に到達し、それぞれ戸枠２５の引き戸収納部２５ａ内の開放方向側の端面に当接する。この際、ストッパ部材４０，４１，４２により、第二の引き戸３２及び第三の引き戸３３の位置が規制される。
この途中で、外力等により第二の引き戸３２が第一の引き戸３１に対して開放方向側にずれた場合には、第一の引き戸３１を開放方向に移動させると、第一の引き戸３１が開放位置に達する前に、第二の引き戸３２が開放位置に達する場合があるが、その後第一の引き戸３１が開放位置まで移動する間は、第一の引き戸３１の移動に伴ってラック部材２１が移動しても、ローラ１８ｄがガイドレール１４上で空転することにより、同位置に留まる。これにより、第二の引き戸３２の第一の引き戸３１に対する位置ずれが修正されリセットされることになる。
また、外力等により第三の引き戸３３が第二の引き戸３２に対して開放方向側にずれている場合であっても、第二の引き戸３２が第一の引き戸３１に対して開放方向側にずれている場合と同様に、ローラ１８ｄがガイドレール１４上で空転することにより、、同位置に留まる。これにより、第三の引き戸３３の第二の引き戸３２に対する位置ずれが修正されリセットされることになる。
なお、第一の引き戸３１が３分の２開放前に第二の引き戸３２に追いついてしまった場合にも、第一の引き戸３１の移動に伴って、第二の引き戸３２がストッパ部材４０を介して開放方向に連動し、ローラ１８ｄがガイドレール１４上を摺動することで、第一の引き戸３１の移動を確保できる。
また、第二の引き戸３２が開放前に第三の引き戸３３に追いついてしまった場合であっても同様に、第三の引き戸３３がストッパ４１を介して開放方向に連動し、ローラ１８ｄがガイドレール１４上を摺動することで、第二の引き戸３２の移動を確保できる。
こうして、図１０（Ａ）に示すように、第一の引き戸３１，第二の引き戸３２及び第三の引き戸３３が戸枠２５の開口部を全開し、この状態で各引き戸３１，３２，３３の位置関係がリセットされる。
【００６４】
図１１は、本発明による引き戸の連動装置の第三の実施形態の構成を示している。
図１１において、引き戸の連動装置５０は、図５に示した引き戸の連動装置２０とほぼ同様の構成であるが、吊り車１８に組み込まれるのではなく、吊り車１８と別体に構成され、吊り車１８の開放方向側で、第二の引き戸１２の上面に取り付けられている点で異なる構成になっている。
引き戸の連動装置５０は、ラック部材２１のラック歯２１ｂと噛合する歯車１８ｆが、フレーム５１に回転可能に枢支されていると共に、歯車１８ｆに対してローラ（図示せず）が取り付けられている。このローラは、吊り車１８におけるローラ１８ｄと同様の構成であり、対応するガイドレール１４のレール面１４ａ上に乗っている。
また、ラックガイド２２は、引き戸の連動装置５０のフレーム５１の開放方向側の端面に取り付けられている。
【００６５】
このような構成の引き戸の連動装置５０によれば、図１に示した連動式引き戸１０に組み込まれる引き戸の連動装置２０と同様に作用すると共に、既設の連動式ではない引き戸に対して、引き戸の連動装置５０を後付けすることにより、容易に連動機能を付与することが可能であるし、吊り車自体は全ての引き戸に対して同一のものを使用でき、コストを下げることができる。
【００６６】
図１２及び図１３は、本発明による引き戸の連動装置の第四の実施形態の構成を示している。
図１２及び図１３において、引き戸の連動装置６０は、図５に示した引き戸の連動装置２０とほぼ同様の構成であるが、ラック部材２１が、第一の引き戸１１に対して、開放方向側の吊り車１５を介して連結されている点で、異なる構成になっている。
具体的には、連動装置６０においては、ラック部材２１のラック支持部２１ａの開放方向側端部付近に、連結ブロック２１ｈが取り付けられ、この連結ブロック２１ｈの下端に吊り軸連動プレート２１ｉがネジ等により固定されている。
【００６７】
吊り軸連動プレート２１ｉは、第二の引き戸１２の上部から隣接する第一の引き戸１１側に向かって突出しており、その突出した先端が係合部２１ｊを有している。
この係合部２１ｊは、第一の引き戸１１に取り付けられた開放方向側の吊り車１５の吊り軸１５ｅをＸ方向に関して挟持するように係合している。
これにより、吊り軸連動プレート２１ｉ，ラック支持部２１ａ及びラック部材２１は、第一の引き戸１１の開閉移動に連動してＸ方向に移動することになる。
【００６８】
このような構成の連動装置６０を組み込んだ連動式引き戸によれば、図１に示した連動式引き戸１０と同様に作用し、連動装置６０により、第一の引き戸１１に連動して、第二の引き戸１２が自動的に開放方向または閉鎖方向に移動する。
【００６９】
以上説明した各実施形態によれば、簡単な構成により、高精度の調整が不要であるようにした、引き戸の連動装置を提供することができる。この際、引き戸自体の内部に機構を組み込む必要がないため既設の引き戸に対しても容易に取付可能であると共に、各レール内部には連動金物が配置されないため、従来のソフトクローズ機構や引込機構など、既存製品がそのまま流用でき、併存し得る。
【００７０】
上述の説明においては、全ての実施形態において、連動式引き戸の開閉の際に、第一の引き戸１１または３１を手動で開放方向または閉鎖方向に移動することにより、他の引き戸が連動して開放方向または閉鎖方向に移動したが、これに限らず、第一の引き戸以外の引き戸１２または３２，３３を手動で開放方向または閉鎖方向に移動してもよい。この場合でも、手動で移動した引き戸１２または３２，３３に連動して、第一の引き戸１１，３１または他の引き戸３３，３２が連動して開放方向または閉鎖方向に移動される。
【００７１】
本発明はその趣旨を逸脱しない範囲において様々な形態で実施することができる。
例えば、上述のように既存の引込機構と組み合わせて設置する場合、ガイドレールとローラとの間の摩擦が引込機構の引き込み力より大きいことにより、引き戸が閉まり切らない可能性がある。その場合には、歯車と車軸との間、車軸とローラとの間、ローラとガイドレールとの間のいずれか一箇所または複数箇所に、既存のトルクリミッタのようなクラッチ機構を介在させ、一定以上の力がかかった場合にはこのクラッチ機構を空転させることでガイドレールと棒状部材との間の連動関係を解除することで、引き戸の自由移動を確保し、各引き戸間の連動関係をリセットすることにより、各引き戸間の連動関係に誤差が生じた場合でも、引き戸を引込機構の力によって各引き戸を閉め切ることが可能となる。さらに、吊り車に設けられた歯車の数を減らし、例えば２枚の引き戸の間に介在する歯車を一つとすることにより、引き戸同士を連動させる力を弱め、自由移動しやすくするよう調整することも可能である。
【００７２】
上述した実施形態においては、歯車１８ｆのピッチ径が関連する吊り車１８のローラ１８ｄの直径と等しく、これにより、第一の引き戸１１，３１に対して第二の引き戸１２，３２が半分の移動速度及び移動量で移動し、さらに第二の引き戸３２に対して第三の引き戸３３がその半分の移動速度及び移動量で移動するようになっているが、これに限らず、ローラ１８ｄのガイドレール１４に対するスリップを考慮して、例えば歯車１８ｆのピッチ径を関連する吊り車１８のローラ１８ｄの直径より小さく選定するようにしてもよい。
また、上述した第二の実施形態においては、第二の引き戸３２に取り付けられる回転部材及び第三の引き戸３３に取り付けられる回転部材をどちらも連動式引き戸１０における回転部材と同様の構成としたが、第二の引き戸３２に取り付けられる回転部材において、歯車のピッチ径を、ローラの直径の半分としてもよい。この場合、この歯車に連動する第一の引き戸３１が第二の引き戸３２に対して移動する量に対し、このローラによって動く第二の引き戸３２の移動量は二倍となるから、第一の引き戸３１と第二の引き戸３２は３：２の移動量となり、ローラがガイドレール上をスリップすることなく、スムーズに三昧の引き戸を連動させることができる。引き戸の枚数が増えた場合には、回転部材における、歯車のピッチ径：ローラの直径を、開放側の引き戸から順に、１：１，１：２，１：３・・・としていけばよい。
【００７３】
上述した実施形態においては、連動装置２０のラック歯２１ｂは、長手方向に二分割して形成されているが、これに限らず、三つ以上の部分に分解して形成されてもよく、また一つの連続した部材として形成されてもよく、ラック歯２１ｂの端部が例えばＳ字状に形成されていることにより互いに係合しても良い。
【００７４】
上述した実施形態においては、連動装置２０は、歯車１８ｆが、第一の引き戸１１，３１に対してラック・ピニオン機構により関係し、また第二の引き戸１２，３２に対してローラ１８ｄとガイドレール１４を介して関係しているが、これに限らず、第一の引き戸１１，３１に対してローラ１８ｄを介して関係し、第二の引き戸１２，３２に対してラック・ピニオン機構により関係していてもよい。また、双方においてローラを介して関係しても良いし、ローラの滑りによるリセットが不要である場合には、双方においてラック・ピニオンを介して関係してもよいし、回転部材内にクラッチ機構など、積極的に空転させる機構を備えることにより滑りを確保してもよい。
【００７５】
上述した実施形態においては、各引き戸１１，１２，３１〜３３は、それぞれ一対の吊り車によりガイドレールに対して支持されているが、これに限らず、連動装置２０が組み込まれる吊り車１８，３７，３９を除く他の吊り車が省略され、他の手段により戸枠に対して開閉方向に移動可能に支持されていてもよい。
【００７６】
上述した実施形態においては、連動式引き戸１０が二枚の引き戸を有している場合、二本のガイドレール１３，１４が設けられているが、これに限らず、一本のみのガイドレールを備え、このガイドレールの両側縁から外側に折り曲げられた部分により一対のレール面を形成して、この一対のレール面に対して、吊り車が片持ち式に支持されるようにしてもよい。
【００７７】
以上述べたように、本発明によれば、簡単な構成により、既設の引き戸に対しても容易に取付可能であると共に、高精度の調整が不要である、極めて優れた引き戸の連動装置が提供される。
【符号の説明】
【００７８】
１０    連動式引き戸
１１，１２，３１，３２，３３  引き戸
１１ａ，１２ａ，３１ａ，３２ａ，３３ａ  係合溝
１３，１４    ガイドレール
１５，１６，１７，１８    吊り車
１７ｆ  テーパ部
１８ｄ  ローラ
２０，５０，６０    引き戸の連動装置
２１    ラック部材
２１ａ  ラック支持部
２１ｂ  ラック歯
２１ｃ，２１ｈ  連結ブロック
２１ｄ，２１ｉ  吊り軸連動プレート
２１ｅ，２１ｊ  係合部
２１ｇ  キャップ
２２  ラックガイド
２２ａ  フランジ部
２３，２４，４０，４１，４２    ストッパ部材
２３ａ，２４ａ，４０ａ，４１ａ，４２ａ  突出片
５１    フレーム
【図１】
2014214475.tif 000003
【図２】
2014214475.tif 000004
【図３】
2014214475.tif 000005
【図４】
2014214475.tif 000006
【図５】
2014214475.tif 000007
【図６】
2014214475.tif 000008
【図７】
2014214475.tif 000009
【図８】
2014214475.tif 000010
【図９】
2014214475.tif 000011
【図１０】
2014214475.tif 000012
【図１１】
2014214475.tif 000013
【図１２】
2014214475.tif 000014
【図１３】
2014214475.tif 000015